(57)【特許請求の範囲】
【請求項１】
表側に少なくとも１本の指針を有し、該指針を回転駆動するムーブメントと、
前記ムーブメントの表側に設置され、光を受光することにより電力を生成し、該電力を前記ムーブメントに供給する太陽電池と、
前記ムーブメントと前記太陽電池との間に設置され、前記ムーブメントを固定するムーブメント固定部と、前記太陽電池を固定する太陽電池固定部とを有する固定部材とを備え、
前記太陽電池は、平板で構成され、該平板の縁部に複数の欠損部が形成された本体部と、該本体部の裏面に突出形成された複数の係合片とを有し、
前記太陽電池固定部は、前記固定部材の表側の面に突出し、前記各欠損部に挿入されて係合する凸部と、前記固定部材の表側の面に凹没し、前記各係合片が挿入されて係合する凹部とで構成されていることを特徴とする時計。
【請求項２】
表側に少なくとも１本の指針を有し、該指針を回転駆動するムーブメントと、
前記ムーブメントの表側に設置され、光を受光することにより電力を生成し、該電力を前記ムーブメントに供給する太陽電池と、
前記ムーブメントと前記太陽電池との間に設置され、前記ムーブメントを固定するムーブメント固定部と、前記太陽電池を固定する太陽電池固定部とを有する固定部材と、
前記固定部材と別体で構成され、該固定部材を裏側から支持し、前記指針の回転軸と直交する方向に離間して配置された一対の支持部材とを備えることを特徴とする時計。
【請求項３】
前記一対の支持部材は、同形状であることを特徴とする請求項２に記載の時計。
【請求項４】
前記固定部材は、その中心部に開口する開口部を有することを特徴とする請求項１ないし３のいずれか１項に記載の時計。
【請求項５】
前記ムーブメントと前記太陽電池との間であって、前記固定部材の内側に設置され、日付に関する情報が付された少なくとも１枚の日車をさらに備える請求項４に記載の時計。
【請求項６】
前記太陽電池の表側に設置され、前記指針が指し示す文字、記号、図形および目盛りのうちの少なくとも１つが付された、光透過性を有する板状の文字板をさらに備え、
前記文字板は、前記情報を視認可能な窓部を有する請求項５に記載の時計。
【請求項７】
前記固定部材は、前記文字板を固定する文字板固定部を有する請求項６に記載の時計。
【請求項８】
前記ムーブメント固定部は、前記固定部材の裏側の面に突出し、前記ムーブメントを該ムーブメントの平面方向に挟持する複数枚の挟持片を有する請求項１ないし７のいずれか１項に記載の時計。
【発明の詳細な説明】
【技術分野】
【０００１】
本発明は、時計に関する。
【背景技術】
【０００２】
従来から、ムーブメント、板状の太陽電池および板状の文字板を有し、これらがこの順に重ねて配置された腕時計が知られている（例えば、特許文献１参照）。この特許文献１に記載の腕時計は、太陽電池が光を受光することにより、太陽電池で電力が生成され、その電力をムーブメントに供給して、指針が文字板上を回転駆動するよう構成されている。
また、特許文献１に記載の腕時計では、太陽電池をムーブメントに対し固定するリング状の固定部材が配置されている。この固定部材は、太陽電池の表側から押さえ付けて、当該太陽電池を固定するよう構成されている。しかしながら、このように太陽電池の表側に固定部材が配置された構造である場合、当該固定部材の厚さ分、太陽電池が腕時計の奥側に位置して、太陽電池で受光される光の受光量が減少してしまう。その結果、太陽電池での発電効率が低下するという問題があった。
【先行技術文献】
【特許文献】
【０００３】
【特許文献１】特開２０１１−１６３８７５号公報
【発明の概要】
【発明が解決しようとする課題】
【０００４】
本発明の目的は、太陽電池の発電効率に優れる時計を提供することにある。
【課題を解決するための手段】
【０００５】
このような目的は、下記の本発明により達成される。
本発明の時計は、表側に少なくとも１本の指針を有し、該指針を回転駆動するムーブメントと、
前記ムーブメントの表側に設置され、光を受光することにより電力を生成し、該電力を前記ムーブメントに供給する太陽電池と、
前記ムーブメントと前記太陽電池との間に設置され、前記ムーブメントを固定するムーブメント固定部と、前記太陽電池を固定する太陽電池固定部とを有する固定部材とを備え、
前記太陽電池は、平板で構成され、該平板の縁部に複数の欠損部が形成された本体部と、該本体部の裏面に突出形成された複数の係合片とを有し、
前記太陽電池固定部は、前記固定部材の表側の面に突出し、前記各欠損部に挿入されて係合する凸部と、前記固定部材の表側の面に凹没し、前記各係合片が挿入されて係合する凹部とで構成されていることを特徴とする。
【０００６】
これにより、太陽電池を時計内で、できる限り表側に配置、固定することができる。これにより、例えば太陽電池が時計内で奥側（裏側）に配置されている場合に比べて、太陽電池で受光される光の受光量の減少を防止または抑制することができ、よって、太陽電池での発電効率の低下を防止することができる。従って、時計は、太陽電池の発電効率に優れたものとなっている。
また、本発明の時計は、表側に少なくとも１本の指針を有し、該指針を回転駆動するムーブメントと、
前記ムーブメントの表側に設置され、光を受光することにより電力を生成し、該電力を前記ムーブメントに供給する太陽電池と、
前記ムーブメントと前記太陽電池との間に設置され、前記ムーブメントを固定するムーブメント固定部と、前記太陽電池を固定する太陽電池固定部とを有する固定部材と、
前記固定部材と別体で構成され、該固定部材を裏側から支持し、前記指針の回転軸と直交する方向に離間して配置された一対の支持部材とを備えることを特徴とする。
また、本発明の時計では、前記一対の支持部材は、同形状であることが好ましい。
【０００７】
本発明の時計では、前記固定部材は、その中心部に開口する開口部を有することが好ましい。
これにより、固定部材の内側に、例えば日付が付された日車等を配置することができる。このような配置により、例えば固定部材と日車とが時計の厚さ方向で重なった配置となっている場合に比べ、時計の厚さをできる限り抑えることができ、よって、時計の薄型化（小型化）に寄与する。さらに、固定部材と日車が厚さ方向で重なっていないため、日車の奥目感を解消することができ、日車がより近くに見えるようになる、すなわち、日車に対する視認性が向上する。
【０００８】
本発明の時計では、前記ムーブメントと前記太陽電池との間であって、前記固定部材の内側に設置され、日付に関する情報が付された少なくとも１枚の日車をさらに備えることが好ましい。
これにより、時計は、日付に関する情報を表示することができるものとなり、その日付を視認すれば、現日付を確認することができる。
【０００９】
本発明の時計では、前記太陽電池の表側に設置され、前記指針が指し示す文字、記号、図形および目盛りのうちの少なくとも１つが付された、光透過性を有する板状の文字板をさらに備え、
前記文字板は、前記情報を視認可能な窓部を有することが好ましい。
この窓部を介して日車に付された日付に関する情報を視認することができ、よって、現日付を確認することができる。
【００１０】
本発明の時計では、前記固定部材は、前記文字板を固定する文字板固定部を有することが好ましい。
これにより、例えば文字板を固定する部材を別途設けるのを省略することができ、よって、時計を構成する部品点数を抑えることができるとともに、時計の組立工数も抑えることができる。
【００１３】
本発明の時計では、前記ムーブメント固定部は、前記固定部材の裏側の面に突出し、前記ムーブメントを該ムーブメントの平面方向に挟持する複数枚の挟持片を有することが好ましい。
これにより、ムーブメントの固定部材に対する固定（主としてムーブメントの面方向の固定）が確実になされる。また、ムーブメントの形状によっては、当該ムーブメントの中心軸回りの回転も規制することができる。
【図面の簡単な説明】
【００１６】
【図１】本発明の時計を腕時計に適用した場合の実施形態を示す斜視図である。
【図２】図１中のＡ−Ａ線断面図である。
【図３】図１に示す腕時計の主な構成部品を表側から見たときの分解斜視図である。
【図４】図１に示す腕時計の主な構成部品を裏側から見たときの分解斜視図である。
【図５】図３中の文字板、太陽電池および固定部材の拡大詳細図である。
【図６】図４中の太陽電池、固定部材、ムーブメントおよび支持部材の拡大詳細図である。
【図７】図５中のＢ−Ｂ線断面図である。
【発明を実施するための形態】
【００１７】
以下、本発明の時計を添付図面に示す好適な実施形態に基づいて詳細に説明する。
図１は、本発明の時計を腕時計に適用した場合の実施形態を示す斜視図、図２は、図１中のＡ−Ａ線断面図、図３は、図１に示す腕時計の主な構成部品を表側から見たときの分解斜視図、図４は、図１に示す腕時計の主な構成部品を裏側から見たときの分解斜視図、図５は、図３中の文字板、太陽電池および固定部材の拡大詳細図、図６は、図４中の太陽電池、固定部材、ムーブメントおよび支持部材の拡大詳細図、図７は、図５中のＢ−Ｂ線断面図である。なお、以下では、説明の都合上、図１〜図６中の上側を「上」、「上方」または「表側」、下側を「下」、「下方」または「裏側」と言う。
【００１８】
図１に示す腕時計（以下、単に「時計」という）１は、外装部（時計用ケース）２と、外装部２の内部に収納され、表側に時針、分針および秒針をそれぞれ構成する３本の時計用針（指針）３１を有するムーブメント３と、時計１を腕に装着する際に用いられるバンド４とを備えている。図１、図３、図４に示すように、時計１は、平面視で外装部２が四角型のものである。
【００１９】
図２〜図４に示すように、外装部２は、胴部２３と、ガラス板（カバーガラス）２１と、ガラス板２１を保持するベゼル２２と、胴部２３の裏側に設置される裏蓋２５とを有している。なお、図２〜図４では、時計用針３１が省略されている。
胴部２３は、角形リング状をなす部材で構成されている。この胴部２３には、外周部から内周部までを貫通する貫通孔２３１が形成されている。そして、貫通孔２３１には、巻真パイプ２６が嵌入され、さらに巻真パイプ２６には、りゅうず２４が回転可能に支持されている（図２参照）。りゅうず２４を回転させることにより、そのトルクがムーブメント３に伝わる。これにより、各時計用針３１が回転駆動し、よって、表示する時刻を調整することができる。
なお、りゅうず２４と巻真パイプ２６との間には、複数個のパッキン２７１が配置されている。これにより、りゅうず２４と巻真パイプ２６との間の気密性、液密性が確実に保持され、よって、外装部２内に液体等が侵入するのを確実に防止することができる。
【００２０】
また、胴部２３の外周部には、１２時−６時方向（バンド４の長手方向）の部分に、それぞれ、ラグ２３２が設けられている。各ラグ２３２には、それぞれ、バンド４が連結部材（図示せず）を介して連結される。
ベゼル２２は、角形リング状をなす部材で構成されている。ベゼル２２の内周部には、その上部に、外径が段階的に変化した段差部２２１が形成されている。この段差部２２１にガラス板２１を支持、固定することができる。なお、この固定方法としては、特に限定されないが、例えば、接着（接着剤や溶媒による接着）による方法を用いることができる。
また、ベゼル２２の下部には、胴部２３の上部と嵌合する嵌合部２２２が突出して設けられている。嵌合部２２２は、ベゼル２２の周方向に沿って形成されており、これにより、胴部２３の内周部に確実に嵌合することができる。
【００２１】
図２に示すように、胴部２３とベゼル２２との間には、パッキン２７２が配置されている。これにより、胴部２３とベゼル２２との間の気密性、液密性が確実に保持され、よって、外装部２内に液体等が侵入するのを確実に防止することができる。
ガラス板２１は、透明性を有し、平面視で四角形状をなす、例えばサファイヤガラス、ソーダガラス、結晶性ガラス、石英ガラス、鉛ガラス、カリウムガラス、ホウ珪酸ガラス、プラスチック等で構成されている。このガラス板２１は、無色透明のものであってもよいし、有色透明のものであってもよい。
【００２２】
裏蓋２５は、ムーブメント３をその裏面側から覆うことができ、四角形状をなす底板２５１と、底板２５１の縁部付近から上方に向かって突出した側壁２５２とで構成されている。側壁２５２は、底板２５１の縁部に沿って形成され、胴部２３の内周部に嵌合することができる。これにより、裏蓋２５が胴部２３に確実に装着される。
また、側壁２５２には、複数の凸部２５３が突出形成されている。そして、各凸部２５３は、それぞれ、胴部２３の内周部に形成された凹部２３３に係合することができる。これにより、胴部２３に装着された裏蓋２５が不本意に離脱するのを確実に防止することができる。
【００２３】
図２に示すように、胴部２３と裏蓋２５との間には、パッキン２７３が配置されている。これにより、胴部２３と裏蓋２５との間の気密性、液密性が確実に保持され、よって、外装部２内に液体等が侵入するのを確実に防止することができる。
図２、図４、図６に示すように、ムーブメント３は、外形が扁平形状をなし、平面視で全体として丸みを帯びた（丸型）ものである。
【００２４】
このムーブメント３は、上方に向かって突出した軸部（回転軸）３３を有している。この軸部３３は、各時計用針３１を回転可能に支持するものである。また、ムーブメント３には、軸部３３を介して、各時計用針３１を回転駆動するための、歯車等で構成された駆動機構（図示せず）が内蔵されている。そして、この駆動機構は、後述する太陽電池５で得られた電力によって作動することができる。これにより、各時計用針３１がそれぞれ回転して、当該時計用針３１で現在の時刻を確認することができる。
そして、ムーブメント３は、前記駆動機構を構成する歯車を軸支する地板（上カバー）３６を有している。
また、図３、図４に示すように、外装部２には、ムーブメント３の他に、文字板６、太陽電池５、日車１０、固定部材７および支持部材８ａおよび８ｂも収納されている。これらの部材の配置順序は、表側から、ほぼ、文字板６、太陽電池５、日車１０、固定部材７、ムーブメント３、支持部材８ａおよび８ｂの順となっている。
【００２５】
図３〜図５に示すように、文字板６は、平面視でほぼ四角形状をなす板部材で構成されている。この文字板６の表側の面６３には、例えば「１」、「２」、「４」、「５」、「６」、「７」、「８」、「９」、「１０」、「１１」、「１２」の数字が付されており、各数字が時計用針３１で指される。これにより、時刻を確実に確認することできる。なお、文字板６には、数字等の文字の他、記号、図形、目盛りも付されていてもよい。
なお、欠番となっている「３」が付されるべき位置には、文字板６をその厚さ方向に貫通する貫通孔で構成された窓部６１が設けられている。この窓部６１を介して日車１０の日付（図示せず）を視認することができ、よって、現日付を確認することができる。
窓部６１の形状としては、特に限定されず、例えば、本実施形態のように四角形状であってもよいし、その他、円形状、楕円形状であってもよい。
【００２６】
また、文字板６のほとんどの部分は、光透過性を有して、すなわち、透明となっており、その構成材料としては、特に限定されず、例えば、各種ガラス材料、各種プラスチック材料が挙げられる。軽量、加工の容易性等の観点からプラスチック材料が好ましく、中でも、ポリカーボネートが好ましい。時計１では、文字板６を透過した光が太陽電池５に到達して、これにより、太陽電池５で電力が生じる。
【００２７】
さらに、文字板６は、光を拡散する機能を有するのが好ましい。これにより、文字板６の裏側にある太陽電池５が文字板６を介して視認されるのを防止または抑制することができる。一般的に腕時計では、太陽電池を外部からできる限り視認されないようにするのが好ましいため、時計１のように太陽電池５に対する視認性が抑制された場合、時計１の審美性が向上する。なお、文字板６に光拡散機能を担持させる方法としては、特に限定されず、例えば、文字板６の表側の面６３および裏側の面６４のうちの少なくとも一方に、拡散剤を含む拡散層を形成する方法、偏光フィルムを設置する方法、プリズムとして機能する微小な凹凸を多数形成する方法等が挙げられる。
【００２８】
文字板６の中心部には、ムーブメント３の軸部３３が挿通する挿通孔６２が形成されている。
また、文字板６の４つの角部のうちの対角上の２つの角部には、それぞれ、挿通孔６２側に向かって窪んだ、すなわち、欠損した文字板側凹部６５ａ、６５ｂが形成されている。さらに、文字板６の４つの角部のうちの残りの２つの角部には、それぞれ、挿通孔６２側に向かって窪んだ、すなわち、欠損した文字板側凹部６５ｃ、６５ｄが形成されている。文字板側凹部６５ａ〜６５ｄは、固定部材７に固定や位置決めがなされる部分となる。
【００２９】
文字板側凹部６５ａと文字板側凹部６５ｂとは、互いに大きさが同じであり、文字板側凹部６５ｃと文字板側凹部６５ｄとは、互いに大きさが同じであるが、文字板側凹部６５ａ、６５ｂと文字板側凹部６５ｃ、６５ｄとは、互いに大きさが異なっている。換言すれば、文字板側凹部６５ａと文字板側凹部６５ｂとは、平面視での形状が四角形状をなしており、これに対し、文字板側凹部６５ｃと文字板側凹部６５ｄとは、平面視で円弧状（「Ｕ」字状）をなしている。
【００３０】
文字板６の裏側には、太陽電池５が配置されている。太陽電池は、ほぼ円形状をなす平板で構成された本体部５６と、本体部５６の裏側の面５６１に突出形成された複数（本実施形態では２つ）の係合片５７ａおよび５７ｂとを有している。
本体部５６は、ムーブメント３と電気的に接続されている。そして、本体部５６は、光を受光することにより電力を生成し、電力をムーブメント３に供給することができる部分である。この本体部５６としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の本体部５６（太陽電池５）に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント３に供給することができる。なお、ｐｎ接合部付近は、空乏層となる。
【００３１】
この本体部５６の中心部には、ムーブメント３の軸部３３が挿通する挿通孔５２が形成されている。
また、本体部５６の挿通孔５２と異なる部分には、本体部５６をその厚さ方向に貫通する貫通孔で構成された窓部５８が設けられている。図２に示すように、窓部５８は、文字板６の窓部６１の直下に位置することとなり、窓部６１を介して日車１０の日付を視認する際に、その視認の妨げとなるのが防止されている。
窓部５８の形状としては、特に限定されず、例えば、本実施形態のように四角形状であってもよいし、その他、円形状、楕円形状であってもよい。
【００３２】
また、本体部５６の縁部には、挿通孔５２を介して対向する位置に、当該挿通孔５２側に向かって窪んだ、すなわち、欠損した太陽電池側凹部（欠損部）５４ａ、５４ｂが一対形成されている。太陽電池側凹部５４ａ、５４ｂは、それぞれ、太陽電池５を固定部材７に対して固定と位置決めとを行なう部分である。太陽電池側凹部５４ａ、５４ｂは、それぞれ、平面視で丸みを帯びた形状をなし、特に、一部が円弧状をなすのが好ましい。
【００３３】
本体部５６の裏側の面５６１には、太陽電池側凹部５４ａの近傍に係合片５７ａが配置され、太陽電池側凹部５４ｂの近傍に係合片５７ｂが配置されている。係合片５７ａと係合片５７ｂとは、本体部５６の挿通孔５２を介して対向して配置されている。
係合片５７ａ、５７ｂは、それぞれ、ステンレス鋼等のような弾性を有する金属製の板部材で構成されている。また、図５に示すように、係合片５７ａ、５７ｂの下端部には、それぞれ、外側に向かって突出した爪部５７１が形成されている。このような係合片５７ａ、５７ｂは、各爪部５７１がそれぞれ固定部材７に係合して、太陽電池５が固定部材７に対して固定される部材となっている。
なお、係合片５７ａ、５７ｂは、それぞれ、本体部５６から絶縁されている。
【００３４】
太陽電池５とムーブメント３との間は、日車１０が配置されている。日車１０は、円板状をなす部材で構成されている。そして、日車１０の表側の面１０１には、「１」〜「３１」の数字が付されており、日付として機能する。また、日車１０は、ムーブメント３と連結されており、時計用針３１と連動して、軸部３３回りに回動することができる。
このような日車１０が配置されていることにより、時計１は、日付を表示することができるものとなる。なお、前述したように、現日付は、文字板６の窓部６１から視認される。
日車１０の構成材料としては、特に限定されず、例えば、各種プラスチック材料や各種金属材料が挙げられる。
【００３５】
図３〜図６に示すように、時計１では、文字板６、太陽電池５およびムーブメント３が固定部材７によって一括して支持、固定されている。この固定部材７は、太陽電池５とムーブメント３との間に設置される。
固定部材７は、平面視で四角形状をなし、その中心部に開口する開口部７１を有する、全体としてリング状をなす部材で構成されている。この固定部材７は、文字板６を固定する文字板固定部（第１の固定部）７２と、太陽電池５を固定する太陽電池固定部（第２の固定部）７３と、ムーブメント３を固定するムーブメント固定部（第３の固定部）７４とを有している。
前述したように、固定部材７は、リング状をなすものである。これにより、固定部材７の内側、すなわち、固定部材７の開口部７１内に、日車１０を配置することができる（図２〜図４参照）。なお、固定部材７の厚さは、日車１０の厚さよりも大きい。
【００３６】
このような配置により、例えば固定部材７と日車１０とが上下方向で重なっている場合に比べ、時計１の厚さを抑えることができ、よって、時計１の薄型化、すなわち、小型化に寄与する。また、固定部材７と日車１０が上下方向（厚さ方向）で重なっていないため、日車１０の奥目感を解消することができ、日車１０がより近くに見えるようになる、すなわち、日車１０に対する視認性が向上する。
【００３７】
図３、図５に示すように、文字板６を固定する文字板固定部７２は、固定部材７の表側の部分に設けられている。この文字板固定部７２は、固定部材７の表側の面７５から突出した一対のピン７２１ａ、７２１ｂと、一対のピン７２１ｃ、７２１ｄとで構成されている。
ピン７２１ａとピン７２１ｂとは、固定部材７の４つの角部のうちの対角上の２つの角部の近傍に配置されている。また、ピン７２１ｃとピン７２１ｄとは、固定部材７の４つの角部のうちの残りの２つの角部の近傍に配置されている。
【００３８】
ピン７２１ａ、７２１ｂは、それぞれ、ほぼ四角柱状をなし、その最大幅が文字板６の文字板側凹部６５ａ、６５ｂの幅と同じかまたは若干大きいものである。そして、ピン７２１ａが文字板側凹部６５ａに挿入され、ピン７２１ｂが文字板側凹部６５ｂに挿入される。これにより、文字板６の固定部材７に対する面方向の位置決めが確実になされ、その位置決め状態を維持して確実に固定することができる。このように、ピン７２１ａ、７２１ｂは、それぞれ、固定用ピンとして機能する。
【００３９】
ピン７２１ｃ、７２１ｄは、それぞれ、円柱状をなし、その外径が文字板６の文字板側凹部６５ｃ、６５ｄの幅と同じかまたは若干小さいものである。そして、ピン７２１ｃが文字板側凹部６５ｃに挿入され、ピン７２１ｄが文字板側凹部６５ｄに挿入される。これにより、文字板６の固定部材７に対する面方向の位置決めが確実になされる。このように、ピン７２１ｃ、７２１ｄは、それぞれ、位置決め用ピンとして機能する。
このようなピン７２１ａ〜７２１ｄが形成されていることにより、固定部材７に文字板６を載置した際、文字板６の固定部材７に対する位置決めと固定とをほぼ同時に行うことができる。
【００４０】
図２、図３、図５に示すように、固定部材７の表側の面７５は、開口部７１の周囲が凹没しており、その深さが段階的に変化している。これにより、表側の面７５に段差部７５１が形成される。そして、この段差部７５１に太陽電池５を配置することができる（図２参照）。また、段差部７５１の深さは、太陽電池５の本体部５６の厚さよりも大きい。これにより、太陽電池５の本体部５６の全体が段差部７５１の内側に収納されることとなり、よって、本体部５６とその表側にある文字板６との接触を防止することができる。これにより、本体部５６の表側の面５６２、すなわち、受光面が文字板６との接触で損傷を受けるのを確実に防止することができる。
【００４１】
また、文字板６の窓部６１を介して日車１０の日付を視認した際、当該日付は、窓部６１に対しできる限り近くに位置するように視認されるのが好ましい。時計１では、段差部７５１に太陽電池５が配置されていることにより、文字板６と日車１０とをできる限り接近させることができ、よって、日車１０の日付は、窓部６１に対しできる限り近くに位置するように視認されることとなる。
【００４２】
図３、図５に示すように、太陽電池５を固定する太陽電池固定部７３は、固定部材７の表側の面７５の文字板固定部７２と異なる位置、すなわち、段差部７５１に設けられている。この太陽電池固定部７３は、段差部７５１（表側の面７５）に突出して形成された複数本（本実施形態では２本）のピン（凸部）７３１ａおよび７３１ｂと、段差部７５１に凹没して形成された貫通孔（凹部）７３２ａおよび７３２ｂとで構成されている。
【００４３】
ピン７３１ａとピン７３１ｂとは、開口部７１を介して互いに反対側に配置されている。貫通孔７３２ａと貫通孔７３２ｂも、開口部７１を介して互いに反対側に配置されている。また、ピン７３１ａと貫通孔７３２ａとが、互いに隣り合っており、文字板固定部７２のピン７２１ａよりも開口部７１側に位置している。ピン７３１ｂと貫通孔７３２ｂとが、互いに隣り合っており、文字板固定部７２のピン７２１ｂよりも開口部７１側に位置している。
【００４４】
ピン７３１ａおよび７３１ｂは、それぞれ、円柱状をなし、その外径が太陽電池５の太陽電池側凹部５４ａ、５４ｂの幅と同じかまたは若干小さいものである。そして、ピン７３１ａが太陽電池側凹部５４ａに挿入されて係合し、ピン７３１ｂが太陽電池側凹部５４ｂに挿入されて係合する。これにより、太陽電池５の固定部材７に対する面方向の位置決めがなされ、その位置決め状態を維持して確実に固定することができる。
【００４５】
貫通孔７３２ａおよび７３２ｂは、それぞれ、段差部７５１を固定部材７の厚さ方向に貫通した部分である。そして、貫通孔７３２ａには、太陽電池５の係合片５７ａが挿入されて、当該係合片５７ａの爪部５７１が貫通孔７３２ａの縁部に係合する（図７参照）。一方、貫通孔７３２ｂには、太陽電池５の係合片５７ｂが挿入されて、当該係合片５７ｂの爪部５７１が貫通孔７３２ｂの縁部に係合する（図７参照）。これらの各係合により、太陽電池５の固定部材７に対する固定が確実になされる。
【００４６】
このようなピン７３１ａおよび７３１ｂと、貫通孔７３２ａおよび７３２ｂとが形成されていることにより、固定部材７に太陽電池５を載置した際、太陽電池５の固定部材７に対する位置決めと固定とをほぼ同時に行うことができる。
また、固定部材７がその表側に太陽電池固定部７３を有していることにより、太陽電池５や日車１０を時計１内で、できる限り表側に配置、固定することができる。
【００４７】
ここで、例えば固定部材７と太陽電池５との配置関係が逆転した場合、すなわち、固定部材７の裏側で太陽電池５が固定されている場合について検討してみる。この場合、太陽電池５は、固定部材７の厚さ分、時計１の奥側（裏側）に位置してしまう。このような位置に太陽電池５が配置されると、当該太陽電池５で受光される光の受光量が減少してしまい、その結果、太陽電池５での発電効率が低下する。また、日車１０が奥目になってしまい、視認性が低下する。
【００４８】
しかしながら、時計１では、太陽電池５ができる限り表側に配置されるよう構成されているため、太陽電池５で受光される光の受光量の減少を防止または抑制することできる。これにより、時計１は、太陽電池５の発電効率に優れたものとなっている。また、固定部材７と日車１０とが厚さ方向（上下方向）で重なっていないため、日車１０の奥目感を解消することができ、日車１０がより近くに見えるようになる。
【００４９】
図４、図６に示すように、ムーブメント３を固定するムーブメント固定部７４は、固定部材７の裏側の部分に設けられている。このムーブメント固定部７４は、固定部材７の裏側の面７６に突出した複数枚（本実施形態では２枚）の挟持片７４１ａ、７４１ｂと、複数のリブ７４２とで構成されている。
挟持片７４１ａと挟持片７４１ｂとは、開口部７１を介して互いに反対側に対向配置されている。挟持片７４１ａと挟持片７４１ｂとは、それぞれ、小片で構成された部分である。そして、挟持片７４１ａと挟持片７４１ｂとの間で、ムーブメント３（地板３６）をその平面方向に挟持することができる。これにより、ムーブメント３が固定部材７に対して確実に固定される。
また、挟持片７４１ａ、７４１ｂは、それぞれ、地板３６の外周部に形成された凹部３６１に入り込む。これにより、ムーブメント３の軸部３３回りの回転も規制することができる。
【００５０】
また、複数のリブ７４２は、挟持片７４１ａ、７４１ｂと異なる位置に、開口部７１の周方向に沿って間隔を置いて配置されている。また、各リブ７４２は、それぞれ、ブロック状をなす部分である。そして、これらのリブ７４２は、ムーブメント３（地板３６）の外周部に一括して当接する。これにより、ムーブメント３がより確実に固定されることとなる。なお、隣り合うリブ７４２同士は、本実施形態では形状が互いに異なっているが、これに限定されず、例えば、形状が互いに同じであってもよい。
以上のような構成の固定部材７は、その形状を時計１の外形形状に応じて適宜変更することができる。これにより、時計１は、デザイン性に富むものとなる。
【００５１】
図３、図４、図６に示すように、固定部材７の裏側には、当該固定部材７と別体で構成され、固定部材７を裏側から支持する支持部材８ａ、８ｂが配置されている。支持部材８ａ、８ｂは、それぞれ、円弧状に湾曲した部材で構成されている。そして、支持部材８ａと支持部材８ｂとは、ムーブメント３の軸部３３の突出方向と直交する方向、すなわち、１２時−６時方向に離間している。これにより、時計１の３時−９時方向（幅方向）の大きさ（見切り径）をできる限り抑えることができ、よって、時計１の小型化に寄与する。また、時計１を、３時−９時方向の長さが１２時−６時方向の長さよりも小さいものとすることができ、このような縦長形状の時計１を望む場合に好適である。
【００５２】
支持部材８ａと支持部材８ｂとは、同じ構成（形状）であるため、以下、支持部材８ａについて代表的に説明する。
支持部材８ａは、上方に向かって突出したピン８１を有している。ピン８１は、円柱状をなす部分である。このピン８１は、固定部材７の裏側の面７６に形成された凹部７６１に嵌合する。これにより、固定部材７と支持部材８ａとの位置決めがなされる。
【００５３】
また、支持部材８ａは、下方に向かって突出した複数本（本実施形態では２本）のピン８２を有している。各ピン８２は、それぞれ、円柱状をなす部分である。そして、支持部材８ａが外装部２に収納された状態では、各ピン８２は、それぞれ、裏蓋２５の底板２５１に押し潰される。これにより、支持部材８ａを、固定部材７で固定された文字板６、太陽電池５およびムーブメント３ごと、押し上げることができる。
また、固定部材７、支持部材８ａおよび８ｂの構成材料としては、特に限定されないが、例えば、アルミニウムやステンレス鋼等のような各種金属材料、ポリエチレン、ポリプロピレン等のような各種プラスチック材料が挙げられる。
【００５４】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、時計は、前記実施形態では外装部が平面視で四角型のものであったが、これに限定されず、例えば、外装部が平面視で丸型やオーバル型のものであってもよい。
【００５５】
また、日車での日付に関する情報としては、前記実施形態では「１」〜「３１」の数字であるが、これに限定されず、例えば、記号や図形等であってもよい。
また、日車の設置数は、前記実施形態では１枚であったが、これに限定されず、例えば、２枚以上であってもよい。日車の設置数を２枚とした場合、一方の日車には、日付の十の位の数字を付与し、他方の日車には、日付の一の位の数字を付与することができる。そして、十の位の数字と一の位の数字との組み合わせで、現日付を表示することができる。
【符号の説明】
【００５６】
１……腕時計（時計）  ２……外装部（時計用ケース）  ２１……カバーガラス  ２２……ベゼル  ２２１……段差部  ２２２……嵌合部  ２３……胴部  ２３１……貫通孔  ２３２……ラグ  ２３３……凹部  ２４……りゅうず  ２５……裏蓋  ２５１……底板  ２５２……側壁  ２５３……凸部  ２６……巻真パイプ  ２７１、２７２、２７３……パッキン  ３……ムーブメント  ３１……時計用針（指針）  ３３……軸部（回転軸）  ３６……地板（上カバー）  ３６１……凹部  ４……バンド  ５……太陽電池  ５２……挿通孔  ５４ａ、５４ｂ……太陽電池側凹部（欠損部）  ５６……本体部  ５６１……裏側の面  ５６２……表側の面  ５７ａ、５７ｂ……係合片  ５７１……爪部  ５８……窓部  ６……文字板  ６１……窓部  ６２……挿通孔  ６３……表側の面  ６４……裏側の面  ６５ａ、６５ｂ、６５ｃ、６５ｄ……文字板側凹部  ７……固定部材  ７１……開口部  ７２……文字板固定部（第１の固定部）  ７２１ａ、７２１ｂ、７２１ｃ、７２１ｄ……ピン  ７３……太陽電池固定部（第２の固定部）  ７３１ａ、７３１ｂ……ピン（凸部）  ７３２ａ、７３２ｂ……貫通孔（凹部）  ７４……ムーブメント固定部（第３の固定部）  ７４１ａ、７４１ｂ……挟持片  ７４２……リブ  ７５……表側の面  ７５１……段差部  ７６……裏側の面  ７６１……凹部  ８ａ、８ｂ……支持部材  ８１、８２……ピン  １０……日車  １０１……表側の面
【図１】
0005994368.tif 000002
【図２】
0005994368.tif 000003
【図３】
0005994368.tif 000004
【図４】
0005994368.tif 000005
【図５】
0005994368.tif 000006
【図６】
0005994368.tif 000007
【図７】
0005994368.tif 000008